(57)【要約】【課題】受光部で受光可能な範囲を大きくすることができるようにする。【解決手段】リモートコントローラなどからの信号光が入射する透明外装部品５１の上面５１ａに溝５２を形成し、溝５２に導光部品５４の下部を挿入する。溝５２は、前後方向には、前方寄りの位置ほど深い三角形状にして、底面を傾斜面とするとともに、左右方向には、前方側の側面を前方側に凸の円弧状の曲面とする。導光部品５４の下部は、前後方向には、前方寄りの位置ほど下側に突出した三角形状にして、下面を傾斜面とするとともに、左右方向には、前方側の側面を前方側に凸の円弧状の曲面とする。【選択図】図１１
2009164827.tif 000002
【特許請求の範囲】
【請求項１】
受光素子を含む受光部と、
信号光が入射する第１の面である前面と交差する第２の面に溝が形成された透明外装部品と、
上記溝に挿入された導光部品とを備え、
上記溝の底面は、上記前面側ほど深い傾斜面であり、
上記溝の上記前面側の側面は、上記前面側に凸の円弧状の曲面であり、かつ、その曲面は、上記前面と直交し上記溝の深さ方向と直交するいずれの断面においても同一形状であり、
上記導光部品の上記溝の底面と対向する面は、上記溝に挿入された状態において上記前面側ほど深い傾斜面であり、
上記導光部品の上記溝の上記前面側の側面と対向する側面は、上記溝に挿入された状態において上記前面側に凸の円弧状の曲面であり、かつ、その曲面は、上記前面と直交し上記溝の深さ方向と直交するいずれの断面においても同一形状である、
ことを特徴とする受光装置。
【請求項２】
受光素子を含む受光部と、
信号光が入射する第１の面である前面と交差する第２の面に溝が形成された透明外装部品と、
上記溝に挿入された導光部品とを備え、
上記溝の底面は、上記前面側ほど深い傾斜面であり、
上記溝の上記前面側の側面は、上記前面側に凸の円弧状の曲面であり、かつ、その曲面は、上記前面と直交し上記溝の深さ方向と直交するいずれの断面においても同一形状であり、
上記導光部品の上記溝の底面と対向する面は、上記溝に挿入された状態において上記前面側ほど深い傾斜面であり、
上記導光部品の上記溝の上記前面側の側面と対向する側面は、上記溝に挿入された状態において上記前面側に凸の円弧状の曲面であり、かつ、その曲面は、上記前面と直交し上記溝の深さ方向と直交するいずれの断面においても同一形状である、
ことを特徴とする電子機器。
【請求項３】
上記信号光はリモートコントローラからの赤外線の信号光である請求項２に記載の電子機器。
【請求項４】
表示装置筐体と、
この表示装置筐体の内部に取り付けられた表示部と、
受光素子を含む受光部と、
信号光が入射する第１の面である前面と交差する第２の面に溝が形成された透明外装部品と、
上記溝に挿入された導光部品とを備え、
上記溝の底面は、上記前面側ほど深い傾斜面であり、
上記溝の上記前面側の側面は、上記前面側に凸の円弧状の曲面であり、かつ、その曲面は、上記前面と直交し上記溝の深さ方向と直交するいずれの断面においても同一形状であり、
上記導光部品の上記溝の底面と対向する面は、上記溝に挿入された状態において上記前面側ほど深い傾斜面であり、
上記導光部品の上記溝の上記前面側の側面と対向する側面は、上記溝に挿入された状態において上記前面側に凸の円弧状の曲面であり、かつ、その曲面は、上記前面と直交し上記溝の深さ方向と直交するいずれの断面においても同一形状であり、
上記透明外装部品は、上記表示装置筐体の側縁に、その一部または全部が露出するように取り付けられている、
ことを特徴とする画像表示装置。
【請求項５】
上記信号光はリモートコントローラからの赤外線の信号光である請求項４に記載の画像表示装置。
【発明の詳細な説明】
【技術分野】
【０００１】
この発明は、リモートコントローラなどからの信号光を受光する装置、および、その受光装置を備える電子機器および画像表示装置に関する。
【背景技術】
【０００２】
テレビジョン受信機などのように、ＬＣＤ（液晶ディスプレイ）パネルなどのディスプレイパネルを備える電子機器の、赤外線リモートコントローラからの信号光を受光する装置としては、装置に入射した信号光を反射させて受光部に導くものが多い。
【０００３】
特許文献１（特開２００７−１８４７７３号公報）には、そのような受光装置として、図１６に示すような装置が示されている。
【０００４】
図１６（Ａ）は、特許文献１に図５として示されたものであり、図１６（Ｂ）は、図１６（Ａ）中の導光部品および受光部を示す側面図である。ただし、符号は、特許文献１に記載されている符号とは変えている。
【０００５】
この受光装置では、平板状の透明なパネル９１に導光部品９４が、その一部がパネル９１の前面９１ｆ、上面９１ａおよび背面９１ｒから突出するように、一体に形成される。導光部品９４は、下部の前面９４ｆおよび背面９４ｓが傾斜面とされる。
【０００６】
パネル９１の正面側から導光部品９４の前面９４ｆに信号光９が入射すると、その信号光９は、前面９４ｆで屈折して導光部品９４中に入射し、さらに導光部品９４の背面９４ｓおよび他の面で反射して導光部品９４の上方に出射し、受光部（受光素子）９６で受光される。
【０００７】
上に挙げた先行技術文献は、以下の通りである。
【特許文献１】特開２００７−１８４７７３号公報
【発明の開示】
【発明が解決しようとする課題】
【０００８】
しかし、図１６に示した、特許文献１に記載された受光装置は、導光部品９４が機器の外装部品であるパネル９１の正面側に露出し、デザイン的に好ましくない。
【０００９】
そのため、発明者は、受光装置として、図１４および図１５に示すような装置を考えた。図１４は、左右方向（図では省略したＬＣＤの画面の横方向）に垂直な面での断面を示し、図１５は、図１４のラインＺの位置での断面を示す。
【００１０】
この受光装置７０で、透明外装部品７１は、左右方向に長い角柱状に形成して、前面７１ｆに信号光が入射するものとし、上面７１ａに溝７２を形成する。
【００１１】
溝７２は、前後方向（ＬＣＤの画面に垂直な方向）には、前方寄りの位置ほど深い三角形状にして、底面７２ｓを傾斜面とするとともに、左右方向には、前方側の側面７２ｆを、透明外装部品７１の前面７１ｆと平行な平面とする。
【００１２】
導光部品７４は、その下部を溝７２に沿う形状とする。すなわち、導光部品７４の下部は、前後方向には、前方寄りの位置ほど下側に突出した三角形状にして、下面７４ｓを傾斜面とするとともに、左右方向には、前方側の側面７４ｆを、透明外装部品７１の前面７１ｆと平行な平面とする。
【００１３】
受光素子７７を含む受光部７６は、入射光を集光する半球状の突部７６ａを下方に向けて、受光部取付基板１９の背後に取り付ける。
【００１４】
そして、このように受光部取付基板１９の背後に受光部７６を取り付け、受光部取付基板１９の下側に導光部品７４を取り付けた状態で、透明外装部品７１を機器の下側に取り付けることによって、導光部品７４の下面７４ｓが溝７２の底面７２ｓと近接し、導光部品７４の側面７４ｆが溝７２の側面７２ｆと近接するように、導光部品７４の下部を透明外装部品７１の溝７２に挿入する。
【００１５】
以上の構成の受光装置７０では、赤外線リモートコントローラからの信号光が、図１４および図１５に入射光１ｃとして示すように、透明外装部品７１の前面７１ｆ上の点Ｐｃに、前面７１ｆに対して垂直に、すなわち左右方向にも上下方向にも０度の入射角で入射すると、その入射光１ｃは、透明外装部品７１中および導光部品７４中を、導光部品７４の下面７４ｓ上の点Ｑｃまで直進し、点Ｑｃで上方に反射して、受光部７６では、受光可能エリア７６ｃの中心に入射した光として受光される。
【００１６】
図１４では省略したが、例えば点Ｐｃに、左右方向（図１４では紙面に垂直な方向）には０度の入射角で、上下方向には一定範囲内の入射角で、入射した信号光も、同様に受光部７６で受光される。
【００１７】
しかし、この受光装置７０は、導光部品７４が透明外装部品７１の正面側に露出せず、受光部７６も機器外装の内側に配置できるため、デザイン的には好ましいが、左右方向における透明外装部品７１への入射位置および入射角の、受光部７６で受光可能な範囲を、あまり大きくすることができない。
【００１８】
具体的に、図１５に入射光１ａとして示すように、透明外装部品７１の前面７１ｆ上の、点Ｐｃに対して左方向に或る距離を隔てた点Ｐａに、左方向に或る角度αの入射角で入射した信号光は、前面７１ｆで屈折して透明外装部品７１中に入射した後、溝７２の側面７２ｆ、および導光部品７４の側面７４ｆに、比較的大きな入射角で入射するため、導光部品７４の下面７４ｓ上の、上記の受光可能エリア７６ｃの左端に対応する点Ｑａに対して左方向に離れた点で上方に反射し、受光部７６で受光されない。
【００１９】
同様に、図１５に入射光１ｂとして示すように、透明外装部品７１の前面７１ｆ上の、点Ｐｃに対して右方向に或る距離を隔てた点Ｐｂに、右方向に或る角度αの入射角で入射した信号光は、前面７１ｆで屈折して透明外装部品７１中に入射した後、溝７２の側面７２ｆ、および導光部品７４の側面７４ｆに、比較的大きな入射角で入射するため、導光部品７４の下面７４ｓ上の、上記の受光可能エリア７６ｃの右端に対応する点Ｑｂに対して右方向に離れた点で上方に反射し、受光部７６で受光されない。
【００２０】
そこで、この発明は、デザイン的に好ましいものとなるだけでなく、受光部で受光可能な範囲を大きくすることができるようにしたものである。
【課題を解決するための手段】
【００２１】
この発明の受光装置は、
受光素子を含む受光部と、
信号光が入射する第１の面である前面と交差する第２の面に溝が形成された透明外装部品と、
上記溝に挿入された導光部品とを備え、
上記溝の底面は、上記前面側ほど深い傾斜面であり、
上記溝の上記前面側の側面は、上記前面側に凸の円弧状の曲面であり、かつ、その曲面は、上記前面と直交し上記溝の深さ方向と直交するいずれの断面においても同一形状であり、
上記導光部品の上記溝の底面と対向する面は、上記溝に挿入された状態において上記前面側ほど深い傾斜面であり、
上記導光部品の上記溝の上記前面側の側面と対向する側面は、上記溝に挿入された状態において上記前面側に凸の円弧状の曲面であり、かつ、その曲面は、上記前面と直交し上記溝の深さ方向と直交するいずれの断面においても同一形状である、
ことを特徴とする。
【発明の効果】
【００２２】
上記の構成の、この発明の受光装置は、導光部品が装置外装の外側に露出せず、受光部も装置外装の内側に配置することができ、デザイン的に好ましいものとなる。
【００２３】
しかも、透明外装部品の溝の底面、および導光部品の透明外装部品の溝の底面と対向する面は、透明外装部品の前面側ほど深い傾斜面であるとともに、透明外装部品の溝の前面側の側面、および導光部品の透明外装部品の溝の前面側の側面と対向する側面は、それぞれ前面側に凸の円弧状の曲面であるので、受光部で受光可能な範囲が大きくなる。
【発明を実施するための最良の形態】
【００２４】
［１．受光装置を備える電子機器の一例としての画像表示装置：図１〜図８］
まず、この発明の受光装置を用いた電子機器の一例としての画像表示装置を示す。
【００２５】
（１−１．画像表示装置の外観的な構成：図１〜図５）
図１〜図５に、画像表示装置の一例の外観的な構成を示す。
【００２６】
図１（Ａ）は正面、図１（Ｂ）は左側面、図１（Ｃ）は右側面、図１（Ｄ）は背面、図１（Ｅ）は上面、図１（Ｆ）は底面、を示す。図２は、画像表示装置を正面側の斜め方向から見た図であり、図３および図４は、画像表示装置の内部構造を簡略的に示す図であり、図５は、画像表示装置を背面側の斜め方向から見た図である。
【００２７】
この例の画像表示装置１０は、静止画像などの画像を再生表示し、音楽などの音声を再生出力することができるものである。
【００２８】
具体的に、正面側から見ると、図１（Ａ）、図２、図３および図４に示すように、表示装置筐体の前面を覆うベゼル１１の背後に、ベゼル１１の窓１１ａを覆うように、ＰＭＭＡ（ポリメチルメタアクリレート）などの光透過性材料によって形成されたフロントパネル１２が取り付けられている。フロントパネル１２の背後には、ＬＣＤおよびバックライトを含むＬＣＤパネル１３が取り付けられている。ＬＣＤパネル１３の背後には、受光部取付基板１９が、正面側から見て表示装置筐体から露出しないように取り付けられている。さらに、表示装置筐体の側縁下部に、ＰＭＭＡなどの光透過性材料によって形成されたスタンド５１が取り付けられている。
【００２９】
図１〜図５では省略したが、後述のように、受光部取付基板１９には、受光素子を含む受光部が取り付けられる。
【００３０】
表示装置筐体内には、ＬＣＤパネル１３の背後に、受光部取付基板１９以外にも複数の基板が取り付けられているが、図３および図４では省略した。
【００３１】
スタンド５１は、受光装置の一部を構成する透明外装部品で、図２〜図５に示すように、このスタンド（透明外装部品）５１の上面には、後述のような溝５２が形成され、図２〜図５では省略したが、その溝５２には、後述のような導光部品が挿入される。
【００３２】
図１（Ｂ）（Ｃ）（Ｄ）（Ｅ）（Ｆ）および図５に示すように、画像表示装置１０の表示装置筐体の背面２１には、リアカバー２２が取り付けられている。
【００３３】
リアカバー２２の、装置正面側から見て左側の側面２２ａ、および装置正面側から見て右側の側面２２ｂには、それぞれ微細な放音用の穴２３ａおよび２３ｂが多数形成され、その側面２２ａおよび２２ｂの内側上部に、左右のスピーカが取り付けられる。
【００３４】
リアカバー２２の１つのコーナーに近い位置には、ＵＳＢ（Ｕｎｉｖｅｒｓａｌ  Ｓｅｒｉａｌ  Ｂｕｓ）端子２４が設けられ、リアカバー２２の下方の、装置背面側から見て右側の位置には、スライド式の無線ＬＡＮ（Ｌｏｃａｌ  Ａｒｅａ  Ｎｅｔｗｏｒｋ）スイッチ２５が設けられ、リアカバー２２の下方の、装置背面側から見て左側の位置には、支持脚２６が取り付けられる。
【００３５】
支持脚２６は、背面２１に取り付けられた一端を支点に回転させることができ、画像表示装置１０をデスク上などに立て掛けることができるものである。
【００３６】
さらに、図１（Ｆ）に示すように、リアカバー２２の下側の側面には、スロット２７，２８および２９が形成され、図５に示すように、そのスロット２７，２８および２９に、メモリースティック（登録商標）などの３種のカード状ないしスティック状のメモリ３７，３８および３９が挿入される。
【００３７】
図１（Ｄ）および図５に示すように、背面２１の上部には、電源ボタンなどの操作ボタンからなるパネル操作部４１が設けられる。
【００３８】
（１−２．画像表示装置の接続構成および機能：図６〜図８）
＜接続構成＞
図６に、画像表示装置１０の接続構成の一例を示す。
【００３９】
ＬＣＤパネル１３は、ＬＣＤ１４およびバックライト１５を含み、画像表示装置１０は、メインＣＰＵ３１およびサブＣＰＵ３２を備える。
【００４０】
サブＣＰＵ３２には、受光部５６、明るさセンサ４２、温度センサ４３、上記のパネル操作部４１および無線ＬＡＮスイッチ２５が接続される。
【００４１】
受光部５６、後述の導光部品５４および上記の透明外装部品（スタンド）５１は、受光装置５０を構成し、リモートコントローラ６０の赤外線発光部６１から出射した信号光１は、透明外装部品５１および導光部品５４を介して受光部５６に入射し、受光部５６内の受光素子５７で検出される。
【００４２】
明るさセンサ４２は、図１〜図５では省略したが、これによって検出された、画像表示装置１０の周辺の明るさに応じて、ＬＣＤ１４の明るさを制御するためのものである。具体的に、周辺が明るいときには、ＬＣＤ１４の明るさも高くし、周辺が暗いときには、ＬＣＤ１４の明るさも低くする。
【００４３】
温度センサ４３は、図１〜図５では省略したが、これによって検出された、画像表示装置１０の周辺の温度（気温）を、ＬＣＤ１４上に表示するためのものである。
【００４４】
メインＣＰＵ３１には、フラッシュメモリ３３、およびＲＡＭ（Ｒａｎｄｏｍ  Ａｃｃｅｓｓ  Ｍｅｍｏｒｙ）からなるメインメモリ３４が接続される。
【００４５】
フラッシュメモリ３３には、あらかじめ、必要な各種のプログラムおよび静止画像データや音楽データなどのデータが書き込まれる。
【００４６】
メインメモリ３４には、後述のように画像表示装置１０がサーバに接続することによってサーバから取得した、または上記のメモリ３７，３８または３９から取得した、静止画像データや音楽データなどのデータが、静止画像の再生表示用や音楽の再生出力用などに展開され、一時記憶される。
【００４７】
また、メインＣＰＵ３１には、ＬＣＤ制御回路４４、バックライト制御回路４５および音声処理部４６が接続され、音声処理部４６の出力側に、上記の左右のスピーカ４７Ｌおよび４７Ｒが接続される。音声処理部４６は、音楽データなどのデジタル音声データをアナログ音声信号に変換するＤ／Ａコンバータ、および音声増幅回路を含む。
【００４８】
また、メインＣＰＵ３１には、無線ＬＡＮモジュール４８が接続され、無線ＬＡＮモジュール４８に、内蔵アンテナ４９が接続される。
【００４９】
さらに、メインＣＰＵ３１には、ＵＳＢインタフェース３５を介して、上記のＵＳＢ端子２４およびメモリ制御回路３６が接続され、メモリ制御回路３６に、上記のスロット２７，２８および２９に挿入されたメモリ３７，３８および３９が接続される。
【００５０】
＜機能＞
以上の構成の画像表示装置１０では、無線ＬＡＮスイッチ２５を、図１（Ｄ）および図５に示すように装置背面側から見て右方にスライドさせ、オンにすることによって、大容量のハードディスク記憶装置を備えるＰＣ（Ｐｅｒｓｏｎａｌ  Ｃｏｍｐｕｔｅｒ）やハードディスクレコーダーなどのメインサーバ、またはノートＰＣなどのサブサーバなどに接続して、それぞれに記録されている静止画像データや音楽データを取得し、静止画像を再生表示し、音楽を再生出力することができる。
【００５１】
この場合、リモートコントローラ６０での操作によって、ＬＣＤ１４上には、図７に示すような接続先選択画面１６が表示される。
【００５２】
ユーザが接続先のサーバを選択すると、メインＣＰＵ３１は、無線ＬＡＮモジュール４８によって、ユーザが選択したサーバに接続する。
【００５３】
これによって、例えば、まず、ＬＣＤ１４上には、ユーザが選択したサーバに記録されている各フォルダが、フォルダ選択画面として表示され、その中からユーザがフォルダを選択すると、ＬＣＤ１４上には、その選択されたフォルダ内の各ファイルが、ファイル選択画面として表示される。
【００５４】
図８は、写真画像のフォルダが選択され、そのフォルダ内の各ファイルのサムネイル画像および撮影日などの情報が、ファイル選択画面１７として表示された場合である。
【００５５】
この状態で、ユーザがファイルを選択すると、ＬＣＤ１４上には、その選択されたファイルの写真画像が拡大表示され、ユーザがスライドショー表示を指示すると、ＬＣＤ１４上には、当該のフォルダ内の各ファイルの写真画像が順次拡大表示される。
【００５６】
ＵＳＢケーブルにより画像表示装置１０とサーバとを接続することによっても、同様に静止画像や音楽を再生することができる。
【００５７】
さらに、メモリ３７，３８または３９をスロット２７，２８または２９に挿入することによっても、またはＵＳＢ端子付きメモリをＵＳＢ端子２４に装着することによっても、同様に静止画像や音楽を再生することができる。
【００５８】
［２．受光装置：図９〜図１３］
図９〜図１３に、上記の例の受光装置５０の詳細を示す。
【００５９】
図９は、透明外装部品（スタンド）５１を示し、図９（Ａ）は上面図、図９（Ｂ）は正面図である。図１０は、装置組立完了前の、導光部品５４が透明外装部品５１の溝５２に挿入されていない状態を示し、図１１は、導光部品５４が透明外装部品５１の溝５２に挿入された状態を示す。図１２は、導光部品５４が透明外装部品５１の溝５２に挿入された状態の、図９（Ａ）（Ｂ）のラインＸの位置での断面を示す。図１３は、導光部品５４が透明外装部品５１の溝５２に挿入された状態の、図１２のラインＺの位置での断面を示す。
【００６０】
以下では、各方向を、
（ａ）左右方向（横方向）：ＬＣＤ１４の画面の横方向（左右方向）、
（ｂ）上下方向（縦方向）：ＬＣＤ１４の画面の縦方向（上下方向）、
（ｃ）前後方向：ＬＣＤ１４の画面に垂直な方向、
とする。
【００６１】
（２−１．構成）
透明外装部品５１は、上記のようにＰＭＭＡなどの光透過性材料によって、図９に示すように左右方向に長い角柱状に形成されている。その上面５１ａには、右端部に近く、かつ背面５１ｒに近い位置に、溝５２が形成されているとともに、左右の端部の、背面５１ｒに近い位置に、取付板部５３ａおよび５３ｂが形成されている。
【００６２】
溝５２は、前後方向には、図１０、図１１および図１２に示すように、前面５１ｆと直交しかつ溝５２の深さ方向と平行な断面で見て前方側の位置ほど深い三角形状となるように底面５２ｓを傾斜面とするとともに、左右方向には、図９（Ａ）、図１０、図１１および図１３に示すように、前方側の側面５２ｆを、透明外装部品５１の前面５１ｆと平行な平面ではなく、前方側に凸の円弧状の曲面とする。さらに、側面５２ｆは、前面５１ｆと直交しかつ溝５２の深さ方向と直交するいずれの断面においても同一形状となるように形成されている。
【００６３】
図９（Ａ）に示すように、溝５２の後方端縁５２ｒは、左右方向には、例えば、前方側の側面５２ｆと同じ曲率（曲率半径）の円弧（曲線）とする。
【００６４】
底面５２ｓの傾斜角度は、４５度とする。また、一例として、溝５２の左右方向の長さ（幅）は、１５ｍｍ程度とし、溝５２の前後方向の幅（奥行）、および最大の深さ（側面５２ｆの高さ）は、数ｍｍ程度とする。
【００６５】
導光部品５４は、透明外装部品５１と同様にＰＭＭＡなどの光透過性材料によって形成し、その基部５４ｃの下側の部分は、溝５２に沿う形状とする。
【００６６】
すなわち、導光部品５４の下部は、前後方向には、図１０、図１１および図１２に示すように、前面５１ｆと直交しかつ溝５２の深さ方向と平行な断面で見て前方側の位置ほど下側に突出した三角形状となるように下面５４ｓを傾斜面とするとともに、左右方向には、図１０、図１１および図１３に示すように、前方側の側面５４ｆを、透明外装部品５１の前面５１ｆと平行な平面ではなく、前方側に凸の円弧状の曲面とする。さらに、側面５４ｆは、前面５１ｆと直交しかつ溝５２の深さ方向と直交するいずれの断面においても同一形状となるように形成されている。
【００６７】
図１２に示すように、受光素子５７を含む受光部５６は、入射光を集光する半球状の突部５６ａを下方に向けて、図３および図４に示した受光部取付基板１９の背後に取り付ける。
【００６８】
そして、図１０に示すように、このように受光部取付基板１９の背後に受光部５６を取り付け、受光部取付基板１９の下側に導光部品５４を取り付けた状態で、図３に示すように、透明外装部品５１の取付板部５３ａおよび５３ｂをネジによりＬＣＤパネル１３の背後に取り付けることによって、図１１および図１２に示すように、導光部品５４の下面５４ｓが溝５２の底面５２ｓと近接し、導光部品５４の側面５４ｆが溝５２の側面５２ｆと近接するように、導光部品５４の下部を透明外装部品５１の溝５２に挿入する。
【００６９】
（２−２．作用および効果）
以上の構成の受光装置５０では、図６に示したリモートコントローラ６０からの信号光１が、図１２および図１３に入射光１ｃとして示すように、透明外装部品５１の前面５１ｆ上の点Ｐｃにおいて、前面５１ｆに対して垂直に、すなわち左右方向にも上下方向にも０度の入射角で入射すると、その入射光１ｃは、透明外装部品５１中および導光部品５４中を導光部品５４の下面５４ｓ上の点Ｑｃまで直進する。そして入射光１ｃは、点Ｑｃで上方に反射して、受光可能エリア５６ｃの中心に入射した光として受光部５６の受光素子５７で受光される。
【００７０】
図１２では省略したが、例えば点Ｐｃに、左右方向には０度の入射角で、上下方向には一定範囲内の入射角で、入射した信号光も、同様に受光部５６で受光される。
【００７１】
さらに、左右方向について見ると、図１３に入射光１ａとして示すように、透明外装部品５１の前面５１ｆ上の、点Ｐｃに対して左方向に或る距離を隔てた点Ｐａに、左方向に或る角度αの入射角で入射した信号光は、前面５１ｆで屈折して透明外装部品５１中に入射する。その後、入射光１ａは、溝５２の前方側に凸の円弧状の曲面とされた側面５２ｆ、および導光部品５４の前方側に凸の円弧状の曲面とされた側面５４ｆに、それぞれの接線方向に対して垂直な、それぞれの法線方向に対する角度（入射角）が比較的小さい入射光として入射する。したがって入射光１ａは、導光部品５４の下面５４ｓ上の上記の受光可能エリア５６ｃの左端に対応する点Ｑａに達して、点Ｑａで上方に反射し、受光部５６の受光素子５７で受光される。
【００７２】
同様に、図１３に入射光１ｂとして示すように、透明外装部品５１の前面５１ｆ上の、点Ｐｃに対して右方向に或る距離を隔てた点Ｐｂに、右方向に或る角度αの入射角で入射した信号光は、前面５１ｆで屈折して透明外装部品５１中に入射する。その後、入射光１ｂは、溝５２の前方側に凸の円弧状の曲面とされた側面５２ｆ、および導光部品５４の前方側に凸の円弧状の曲面とされた側面５４ｆに、それぞれの接線方向に対して垂直な、それぞれの法線方向に対する角度（入射角）が比較的小さい入射光として入射する。したがって入射光１ｂは、導光部品５４の下面５４ｓ上の上記の受光可能エリア５６ｃの右端に対応する点Ｑｂに達して、点Ｑｂで上方に反射し、受光部５６の受光素子５７で受光される。
【００７３】
これに対して、図１４および図１５に示した受光装置７０では、透明外装部品７１の溝７２の側面７２ｆ、および導光部品７４の側面７４ｆが、それぞれ透明外装部品７１の前面７１ｆと平行な平面であるため、図１５で上述したように、入射光１ａまたは入射光１ｂのように、透明外装部品７１の前面７１ｆ上の、点Ｐｃに対して左方向または右方向に或る距離を隔てた点Ｐａまたは点Ｐｂに、左方向または右方向に或る角度αの入射角で入射した信号光は、前面５１ｆで屈折して透明外装部品７１中に入射した後、溝７２の側面７２ｆ、および導光部品７４の側面７４ｆに、比較的大きな入射角で入射するため、導光部品７４の下面７４ｓ上の、受光可能エリア７６ｃの左端に対応する点Ｑａに対して左方向に離れた点、または受光可能エリア７６ｃの右端に対応する点Ｑｂに対して右方向に離れた点で上方に反射し、受光部７６で受光されない。
【００７４】
したがって、受光部の横幅（左右方向の幅）を同じにしたとき、図９〜図１３に示した受光装置５０では、図１４および図１５に示した受光装置７０に比べて、左右方向における透明外装部品への入射位置および入射角の、受光部で受光可能な範囲を大きくすることができる。
【００７５】
逆に、左右方向における透明外装部品への入射位置および入射角の、受光部で受光可能な範囲を同じにする場合、図９〜図１３に示した受光装置５０では、図１４および図１５に示した受光装置７０に比べて、受光部の横幅を小さくすることができる。
【００７６】
［３．他の例または実施形態］
図示した例は、溝５２の後方端縁５２ｒも、左右方向には、前方側の側面５２ｆと同じ曲率（曲率半径）の円弧（曲線）とする場合であるが、溝５２の後方端縁は、左右方向には、例えば直線としてもよい。
【００７７】
また、溝５２の左右方向の端面、および導光部品５４の溝５２に挿入される部分の左右方向の端面は、左右方向に垂直な面ではなく、左右方向に傾斜した面などとしてもよい。
【００７８】
さらに、溝５２の側面５２ｆ、および導光部品５４の溝５２に挿入される部分の側面５４ｆは、左右方向には、前方側に凸の円弧状の曲面とするが、前面５１ｆに対して相対的に前後方向には、前方側または後方側に若干傾いた面としてもよい。この場合においても上述した例で説明したように、側面５２ｆは、前面５１ｆと直交しかつ溝５２の深さ方向と直交するいずれの断面においても同一形状となるように形成されており、側面５４ｆは、前面５１ｆと直交しかつ溝５２の深さ方向と直交するいずれの断面においても同一形状となるように形成されている。
【００７９】
さらに、受光装置、または受光装置を備える電子機器としては、リモートコントローラからの赤外線の信号光を受光するものに限らず、光通信によって送信されたデータなどの情報を受信するものでもよい。また、受光装置を備える電子機器としては、ＬＣＤパネルなどのディスプレイパネルを備えない、空調装置などの機器でもよい。
【００８０】
上述した例は、表示部がＬＣＤパネル１３の場合であるが、画像を表示できるものであれば、有機ＥＬパネルなど、他の方式の表示デバイスでもよい。
【００８１】
透明外装部品５１は、装置を立て掛けるスタンドとして用いるためのものでなくてもよい。また、表示装置筐体の周囲に設けられた透明外装部材に溝５２を形成するようにしてもよい。さらに、透明外装部材の一部が表示装置筐体の内部に収納されて取り付けられるような構造でもよい。
【００８２】
溝５２は、上述した形状の側面５２ｆおよび底面５２ｓが形成されていれば、他の面がどのような形状であってもよい。
【００８３】
導光部品５４は、上述した形状の側面５４ｆおよび下面５４ｓが形成されていれば、他の面がどのような形状であってもよい。
【００８４】
導光部品５４および受光部５６は、透明外装部品の内部に上面５１ａから突出しないように配置されてもよい。この場合、装置正面から見て表示装置筐体から受光部５６が露出しないように、透明外装部品の一部が表示装置筐体の内部または後方に収納されて取り付けられることが望ましい。
【図面の簡単な説明】
【００８５】
【図１】この発明の電子機器の一例としての画像表示装置の外観的な構成を示す図である。
【図２】図１の画像表示装置を正面側から見た図である。
【図３】図１の画像表示装置の内部構造を示す図である。
【図４】図１の画像表示装置の内部構造を示す図である。
【図５】図１の画像表示装置を背面側から見た図である。
【図６】図１の画像表示装置の接続構成の一例を示す図である。
【図７】図１の画像表示装置の機能の説明に供する図である。
【図８】図１の画像表示装置の機能の説明に供する図である。
【図９】この発明の受光装置の一例の透明外装部品を示す図である。
【図１０】この発明の受光装置の一例の組立完了前の状態を示す図である。
【図１１】この発明の受光装置の一例の組立完了後の状態を示す図である。
【図１２】この発明の受光装置の一例の断面を示す図である。
【図１３】図１２のラインＺの位置での断面を示す図である。
【図１４】受光装置として考えられる例を示す図である。
【図１５】図１４のラインＺの位置での断面を示す図である。
【図１６】特許文献１に記載の受光装置を示す図である。
【符号の説明】
【００８６】
主要部については図中に記述したので、ここでは省略する。
【図１】
2009164827.tif 000003
【図２】
2009164827.tif 000004
【図３】
2009164827.tif 000005
【図４】
2009164827.tif 000006
【図５】
2009164827.tif 000007
【図６】
2009164827.tif 000008
【図７】
2009164827.tif 000009
【図８】
2009164827.tif 000010
【図９】
2009164827.tif 000011
【図１０】
2009164827.tif 000012
【図１１】
2009164827.tif 000013
【図１２】
2009164827.tif 000014
【図１３】
2009164827.tif 000015
【図１４】
2009164827.tif 000016
【図１５】
2009164827.tif 000017
【図１６】
2009164827.tif 000018